(57)【要約】      （修正有）【課題】ストーマとストーマ用バッグの開口部とを違和感なく密着させ、歩行等の運動、体温、汗等によりずれることがないストーマ用バッグ装着具を提供する。【解決手段】ストーマ用バッグ装着具１は、ストーマ用バッグ２１を挿入するストーマ用袋部１１と、身体に取り付けるための紐を通す紐通部１３と、前記紐通部に通して、身体に固定する紐１４と、前記紐の両端部を固定するファスナ１５，１５′とから構成されている。【選択図】図１
0003107700.tif 000002
【実用新案登録請求の範囲】
【請求項１】
ストーマと直結させるストーマ用バッグを保護するストーマ用バッグ装着具において、
前記ストーマとストーマ用バッグとを直結させるとともに、前記ストーマ用バッグを出し入れするためのストーマ用第１開口部と、側部に設けられ、前記ストーマ用バッグの位置合わせを行うための第２開口部を備えたストーマ用袋部と、  前記ストーマ用袋部の上部に設けられている紐通部と、
前記紐通部に通されて、患者の身体に固着するための紐と、
前記紐の端部どうしを固定できるファスナ部と、
から少なくとも構成されていることを特徴とするストーマ用バッグ装着具。
【請求項２】
前記第２開口部は、前記ストーマ用袋部の縦方向の１／２より大きく開けられていることを特徴とする請求項１に記載されたストーマ用バッグ装着具。
【請求項３】
前記ファスナ部は、面ファスナであることを特徴とする請求項１または請求項２に記載されたストーマ用バッグ装着具。
【請求項４】
前記ストーマ用袋部、紐通部、および紐は、晒からなることを特徴とする請求項１から請求項３のいずれか１項に記載されたストーマ用バッグ装着具。
【考案の詳細な説明】
【技術分野】
【０００１】
本考案は、尿や便の排泄口に直結したストーマ用バッグを装着するストーマ用バッグ装着具に関するものである。消化器用ストーマは、たとえば、癌等により結腸、回腸等を切断し、腸から排泄物を直接外部に排出する排出口である。また、泌尿器系ストーマは、尿路変更手術等を行い、尿を直接外部に排出する排出口である。前記排出口は、通常、神経がないため痛みを感じることがなく、括約筋がないため、便意または尿意を感じることがない。したがって、前記排出口は、自分の意志で開閉をコントロールすることができない。
【０００２】
本明細書において、「ストーマ」とは、腸や尿道に繋がる身体の排出口を意味する。本明細書において、「ストーマ用バッグ」は、前記ストーマと直結して、尿や便等の排泄物を一時的に収納することができる容器であり、「パウチ」、「・・・バッグ」等で販売されているものである。本考案の「ストーマ用バッグ装着具」は、ストーマと前記ストーマ用バッグを直結した状態で、前記ストーマ用バッグを収容できる袋状のものである。
【背景技術】
【０００３】
ストーマ用バッグには、消化器、泌尿器の他に、身体の部位および体の大きさ等に異なる大きさの物があり、患部によって、単孔式または双孔式がある。また、前記ストーマ用バックは、前記ストーマの形状に合わせて作製されている。また、前記ストーマ用バッグ装着具には、たとえば、実開平３−２１３１６号公報に示されているように、前記ストーマ用バッグを入れる袋を設け、前記袋を身体に装着するための伸縮性のあるゴム紐からなるベルトや留め金、調節器が設けられている。
【特許文献１】実開平３−２１３１６号公報
【考案の開示】
【考案が解決しようとする課題】
【０００４】
前記公開公報に記載された考案は、尿や便の重さを支えるためのものであり、身体に固定するベルトも留め金や調節器により調節している。ストーマは、患部、患部の症状、体の大きさ等により、大きさが異なる。前記ストーマ用バッグは、前記開口部が多様化できるように複数種類取り揃えられている。しかし、ストーマとストーマ用バッグとは、内容物の重さ、運動、体温、汗等によりずれることがある。また、前記ストーマには、神経がなく、前記問題を解決するために、接着剤を強力にすることができない。
【０００５】
以上の課題を解決するために、本考案は、ストーマとストーマ用バッグの開口部とを違和感なく密着させ、歩行等の運動、体温、汗等によりずれることがなく、神経のないストーマに傷をつけないようにしたストーマ用バッグ装着具を提供することを目的とする。本考案は、ストーマ用バッグに尿や便が溜まった状態であっても、排泄物の熱や重さを感じないようにしたストーマ用バッグ装着具を提供することを目的とする。
【課題を解決するための手段】
【０００６】
（第１考案）
第１考案のストーマ用バッグ装着具は、ストーマと直結させるストーマ用バッグを保護するものであり、前記ストーマと前記ストーマ用バッグとを直結させるとともにストーマ用バッグを出し入れするためのストーマ用第１開口部と側部に設けられストーマ用バッグの位置合わせを行うための第２開口部を備えたストーマ用袋部と、前記ストーマ用袋部の上部に設けられている紐通部と、前記紐通部に通されて、患者の身体に固着するための紐と、前記紐の端部どうしを固定できるファスナ部とから少なくとも構成されていることを特徴とする。
【０００７】
（第２考案）
第２考案のストーマ用バッグ装着具は、第１考案の第２開口部がストーマ用袋部の縦方向の１／２より大きく開けられていることを特徴とする。
【０００８】
（第３考案）
第３考案のストーマ用バッグ装着具は、第１考案または第２考案のファスナ部が面ファスナであることを特徴とする。
【０００９】
（第４考案）
第４考案のストーマ用バッグ装着具は、第１考案から第３考案のストーマ用袋部、紐通部、および紐が晒からなることを特徴とする。
【考案の効果】
【００１０】
本考案によれば、ストーマ用袋部のほぼ中央部にストーマと直結するストーマ用第１開口部を備えており、ストーマ用袋部に尿や便の重さで身体に違和感を覚えないようにしている。また、前記ストーマ用袋部は、前記尿や便の重みを支えることができるため、ストーマと直結する部分の接着が剥がれることがない。
【００１１】
本考案によれば、ストーマ用袋部の側部に縦方向の１／２より大きく開いた第２開口部が設けられているため、ストーマ用バッグの位置合わせが容易である。
【００１２】
本考案によれば、ストーマ用バッグ装着具を紐で身体に取り付ける場合、紐の端部に面ファスナを設けているため、金具や調節器による凹凸ができないため、夏場の服装であっても、ストーマ用バッグ装着具を装着していることが外から判らない。
【００１３】
本考案によれば、ストーマ用袋部、紐通部、および紐を晒で構成しているため、清潔感があり、汗の吸湿性、通気性に富んでおり、身体に装着した場合、違和感や不潔感がない。前記晒からなるストーマ用バッグ装着具は、洗濯をしても早く乾き常に清潔にすることができる。
【考案を実施するための最良の形態】
【００１４】
（第１考案）
第１考案のストーマ用バッグ装着具は、消化器系ストーマまたは泌尿器系ストーマとストーマ用バッグとを直結させる際に、前記ストーマ用バッグが内容物の重さ等で、患部から離脱するのを防ぐためのストーマ用バッグ装着具にかかるものである。第１考案のストーマ用バッグ装着具は、ストーマ用バッグを挿入するストーマ用袋部と、身体に取り付けるための紐を通す紐通部と、前記紐通部に通して、身体に固定する紐と、前記紐の両端部を固定するファスナとから構成されている。
【００１５】
前記ストーマ用袋部は、ほぼ中央部にストーマと直結するストーマ用第１開口部が設けられているとともに、側部にストーマ用バッグの位置合わせを行うための第２開口部が備えられている。
【００１６】
前記ストーマ用袋部は、尿や便が入ったストーマ用バッグを巧みに支えることができるため、身体に尿や便の重さによる違和感を覚えないようにしている。また、前記ストーマ用袋部は、前記尿や便の重みで、ストーマと直結する部分の接着が剥がれることがないようにしている。さらに、前記ストーマ用袋部は、前記尿や便の熱で、身体に違和感を持たせたり、あるいは、その熱による汗等で身体と接着部の接着性を弱めることがない。
【００１７】
（第２考案）
第２考案のストーマ用バッグ装着具は、ストーマ用袋部の側部に設けられた第２開口部が前記ストーマ用袋部の縦方向の１／２より大きく開けられているため、ストーマ用バッグの位置合わせが容易である。
【００１８】
（第３考案）
第３考案のストーマ用バッグ装着具は、第１考案のファスナ部が面ファスナで構成されている。前記面ファスナは、紐を結ぶ場合のように、凹凸ができないため、夏場の服装であっても、ストーマ用バッグ装着具を装着していることが外から判らないようにすることができる。
【００１９】
（第４考案）
第４考案のストーマ用バッグ装着具は、第１考案または第２考案のストーマ用袋部、紐通部、および紐を晒で構成している。前記晒は、綿や麻からなるほぼ白色であるため、清潔感があり、汗の吸湿性、通気性に富み、ストーマ用バッグ装着具として最適である。
【実施例１】
【００２０】
図１（イ）は本考案の実施例であるストーマ用バッグ装着具の斜視図であり、（ロ）から（ニ）は平面図およびＡ−Ａ、Ｂ−Ｂ断面図である。図１（イ）において、ストーマ用バッグ装着具１は、尿や便を入れるストーマ用バッグを内部に装着するストーマ用袋部１１と、前記ストーマ用袋部１１のほぼ中央部に前記ストーマ用バッグの貼着部等を介してストーマに直結するストーマ用第１開口部１２と、前記ストーマ用袋部１１の側部に設けられた第２開口部１２′と、前記ストーマ用袋部１１の頂部に設けられた紐通部１３と、前記紐通部１３に通された紐１４と、前記紐１４の端部に設けられ、両者を接着することができる面ファスナ１５、１５′とから構成されている。
【００２１】
図１（イ）から（ニ）において、ストーマ用バッグ装着具１の第２開口部１２′は、前記ストーマ用袋部１１の縦方向の１／２より大きく開いて、ストーマ用バッグの位置合わせを容易にしている。また、本考案の実施例であるストーマ用バッグ装着具１の具体的な一例としての寸法を示す。尿や便を入れるストーマ用バッグを内部に装着するストーマ用袋部１１は、たとえば、縦が２２ｃｍ、横が１８ｃｍ、紐１４の幅を３ｃｍとして、前記紐１４を通す紐通部１３の幅が４ｃｍとした。
【００２２】
前記紐１４は、一端の裏面に、たとえば、長さ５ｃｍの面ファスナ１５′を設け、他端の表面に長さ１０ｃｍの面ファスナ１５を設けている。前記紐１４は、紐通部１３を通した後、身体の所望部分に回した後、面ファスナ１５、１５′を接着させることにより、ストーマ用バッグ装着具１が身体に取り付けられる。
【００２３】
図２は本考案の実施例に使用されるストーマ用バッグを説明するための平面図である。図２において、ストーマ用バッグ２１は、尿や便等を挿入する袋部２１１と、ほぼ中央部に設けられた開口部２１２と、前記開口部２１２の周囲に接着剤２１３′が塗布された貼着部２１３と、前記貼着部２１３を身体に貼り付けるまで、接着性を保持するために覆うフィルム２１４と、前記尿や便等を排出する排出口２１５と、前記ストーマ用バッグ２１の排出口２１５を折り曲げで蓋をする挟持具２２とから構成されている。前記ストーマ用バッグ２１は、開口部２１２を介してストーマに直結する。
【００２４】
その使用に際し、前記ストーマ用バッグ２１の開口部２１２とストーマとを直結し、貼着部２１３は、フィルム剥がし部２１４′を持ってフィルム２１４を剥がした後、身体のストーマ部に接着させる。次いで、ストーマ用バッグ２１をストーマ用バッグ装着具１の第１開口部１２から挿入し、第２開口部１２′を利用して内部での位置合わせを行う。前記ストーマ用バッグ２１の位置が確定した後、ストーマ用バッグ装着具１は、紐１４によって身体の所定位置に固定する。
【００２５】
前記紐１４は、前記寸法以外にＬ（９５ｃｍ）、Ｍ（８６ｃｍ）、Ｓ（７５ｃｍ）等の物を用意することができる。前記紐１４は、芯を入れたり、あるいは芯として平ゴムをいれてシャーリングに縫い、布を前記平ゴムより１割ほど長くすると良い。面ファスナ１５、１５′は、前記寸法に限らず変えることができる。さらに、ストーマ用バッグ装着具１のストーマ用袋部１１、紐通部１３、紐１４等を木綿、麻、これらの混紡による晒を使用することにより、清潔感があり、汗の吸湿性や通気性が良く、肌触りも良い。
【産業上の利用可能性】
【００２６】
以上、本実施例を詳述したが、本考案は、前記本実施例に限定されるものではない。そして、本考案は、実用新案登録請求の範囲に記載された本考案を逸脱することがなければ、種々の設計変更を行うことが可能である。本考案のストーマ用バッグ装着具は、実施例に記載のない任意の材質を使用することができ、ファスナも同様に公知または周知のものを使用することができる。さらに、本考案のストーマ用バッグ装着具のストーマ用袋部、ストーマ用開口部等の大きさおよび寸法は、使用する者の身体の大きさや患部の大きさ等により任意に変更することができる。
【図面の簡単な説明】
【００２７】
【図１】（イ）は本考案の実施例であるストーマ用バッグ装着具の斜視図であり、（ロ）から（ニ）は平面図およびＡ−Ａ、Ｂ−Ｂ断面図である。（実施例１）
【図２】本考案の実施例に使用されるストーマ用バッグを説明するための平面図である。
【符号の説明】
【００２８】
１・・・ストーマ用バッグ装着具
１１・・・ストーマ用袋部
１２・・・ストーマ用第１開口部
１２′・・・第２開口部
１３・・・紐通部
１４・・・紐
１５、１５′・・・面ファスナ
２１・・・ストーマ用バッグ
２１１・・・袋部
２１２・・・開口部
２１３・・・貼着部
２１４・・・フィルム
２１４′・・・フィルム剥がし部
２１５・・・排出口
２１６・・・折り返し部
２２・・・挟持具
【図１】
0003107700.tif 000003
【図２】
0003107700.tif 000004